(57)【要約】      （修正有）【課題】木材の持ち味を生かし、金具を使わなくても出し入れが簡単なフレームを提供する。【解決手段】四角いフレームなので、片面につき４本の材木を使い、もう一方の面にも同様に４本の材木を使う。両面の材木の間に薄い材木を挟み接着することで間に硬質プラスチックケースなどを入れることができるようにする。【選択図】図１
0003122782.tif 000002
【実用新案登録請求の範囲】
【請求項１】
木材のパーツをうまく組み合わせて接着することで、木の持ち味を生かし、また、金具を使うことなく出し入れが簡単な両面使えるフレーム
【考案の詳細な説明】
【考案の詳細な発明】
【技術分野】
【０００１】  木製フレームの製作
【考案が解決しようとする課題】
【０００２】  木材の持ち味を生かし、金具を使わなくても出し入れが簡単なフレーム
【課題を解決するための手段】
【０００３】  木材のパーツをうまく組み合わせて接着することで  課題を達成することができた。
【考案を実施するための最良の形態】
【０００４】  四角いフレームなので、片面につき４本の材木を使い、もう一方の面にも同様に４本の材木を使う。両面の材木の間に薄い材木を挟み接着することで間に硬質プラスチックケースなどを入れることができるようにする。
【考案の効果】
【０００５】  従来のフレームのように、後ろに板をあてたり金具でとめたりする必要がない。掛けて使う場合にも金具を使う必要がない。また、両面を使うことができる。
【図面の簡単な説明】
【図１】材木の組み合わせ方である。
【符号の説明】
１  フレームを形作る、片面で４本、両面あわすと８本の材木である。
（厚さは、１０ｍｍ程度より好みの厚さにすることができる。）
２  厚さ３ｍｍ程度の薄板である。（出し入れの一辺は不要なので３本必要となる。）
３  溝になるように薄板はフレームの材木より４ｍｍ程度控える。
４  下辺の材木は、立てて使用する場合に安定するので少し厚くしてもよい。
（４番は、横長に使う場合の下辺である。）
５  下辺の材木は、立てて使用する場合に安定するので少し厚くしてもよい。
（５番は、縦長に使う場合の下辺である。）
【図１】
0003122782.tif 000003
【手続補正書】
【提出日】平成16年9月1日(2004.9.1)
【手続補正１】
【補正対象書類名】明細書
【補正対象項目名】実用新案登録請求の範囲
【補正方法】変更
【補正の内容】
【実用新案登録請求の範囲】
【請求項１】
フレームの上辺の中に挟む薄板に、左から、左辺、上辺、右辺と３本（両面あわすと６本）の外側の材木を張る。下辺についても同様にする。左右どちらかの辺にも間に薄板を挟む。左右どちらかの辺は出し入れのために薄板を挟まずにあけておく。こうすることにより「中に挟む薄板」を仲立ちとして一つのフレームが仕上がる。また、薄板を外側の材木より４ｍｍ程度控えることにより、これが硬質プラスチックケースなどをはめる溝となる。
【手続補正書】
【提出日】平成17年1月4日(2005.1.4)
【手続補正１】
【補正対象書類名】実用新案登録請求の範囲
【補正対象項目名】全文
【補正方法】変更
【補正の内容】
【実用新案登録請求の範囲】
【請求項１】
横の長さａｍｍ  縦の長さｂｍｍ  フレーム材の幅ｗｍｍのフレームにおいて、
（１）上辺と下辺用の  横ａ  縦（ｗ−４）  厚さ３程度  の薄板と  左辺用の  横（ｗ−４）  縦｛ｂ−２（ｗ−４）｝  厚さ３程度  の薄板。
（２）（１）の薄板の両側に貼る  厚さ１０程度  のフレーム材は  左辺および右辺として  横ｗ  縦ｂ、  上辺と下辺として  横（ａ−２ｗ）  縦ｗ  の材木。
（３）右辺は  薄板が挟まれていない状態の  出し入れ口。
以上の構成からなる木製フレーム。
【手続補正書】
【提出日】平成17年5月20日(2005.5.20)
【手続補正１】
【補正対象書類名】実用新案登録請求の範囲
【補正対象項目名】全文
【補正方法】変更
【補正の内容】
【実用新案登録請求の範囲】
【請求項１】
木材からなるフレームの幅がｗｍｍで  完成品の縦、横の長さが  それぞれａｍｍ，ｂｍｍのフレームにおいて、
（１）上辺と下辺用の  横ａ  縦（ｗ−４）  厚さ３程度  の薄板と  左辺用の  横（ｗ−４）  縦｛ｂ−２（ｗ−４）｝  厚さ３程度  の薄板。
（２）（１）の薄板の両側に貼る  厚さ１０程度  の木材からなるフレームは左辺および右辺として横ｗ  縦ｂ、上辺と下辺として  横（ａ−２ｗ）縦ｗ  の材木。
（３）右辺は  薄板が挟まれていない状態の  出し入れ口。
以上の構成からなる木製フレーム。
【手続補正２】
【補正対象書類名】図面
【補正対象項目名】図２
【補正方法】追加
【補正の内容】
【図２】
0003122782.tif 000004
【手続補正３】
【補正対象書類名】図面
【補正対象項目名】図３
【補正方法】追加
【補正の内容】
【図３】
0003122782.tif 000005
【手続補正４】
【補正対象書類名】明細書
【補正の内容】
0003122782.tif 000006
【手続補正書】
【提出日】平成17年8月22日(2005.8.22)
【手続補正１】
【補正対象書類名】手続補正書
【補正対象項目名】手続補正４
【補正方法】変更
【補正の内容】
【手続補正４】
【補正対象書類名】明細書
【補正対象項目名】全文
【補正方法】変更
【補正の内容】
【考案の詳細な説明】
【実用新案登録請求の範囲】
【請求項１】
木材からなるフレームの幅がｗｍｍで  完成品の縦、横の長さが  それぞれａｍｍ，ｂｍｍのフレームにおいて、
（１）上辺と下辺用の  横ａ  縦（ｗ−４）  厚さ３程度  の薄板と  左辺用の  横（ｗ−４）  縦｛ｂ−２（ｗ−４）｝厚さ３程度  の薄板。
（２）（１）の薄板の両側に貼る  厚さ１０程度  の木材からなるフレームは左辺および右辺として横ｗ  縦ｂ、上辺と下辺として  横（ａ−２ｗ）縦ｗ  の材木。
（３）右辺は  薄板が挟まれていない状態の  出し入れ口。
以上の構成からなる木製フレーム。
【技術分野】
【０００１】木製フレームの製作
【考案が解決しようとする課題】
【０００２】  木材の持ち味を生かし、金具を使わなくても出し入れが簡単なフレーム
【課題を解決するための手段】
【０００３】  木材のパーツをうまく組み合わせて接着することで  課題を達成することができた。
【考案を実施するための最良の形態】
【０００４】  四角いフレームなので、片面につき４本の材木を使い、もう一方の面にも同様に４本の材木を使う。両面の材木の間に薄い材木を挟み接着することで間に硬質プラスチックケースなどを入れることができるようにする。
【考案の効果】
【０００５】  従来のフレームのように、後ろに板をあてたり金具でとめたりする必要がない。掛けて使う場合にも金具を使う必要がない。また、両面を使うことができる。
【図面の簡単な説明】
【図１】材木の組み合わせ方である。
【図２】木製フレームの完成品を上から見たところである。
【図３】木製フレームの完成品を横から見たところである。
【符号の説明】
１  フレームを形作る、片面で４本、両面あわすと８本の材木である。
２  上辺と下辺に挟む  端から端までの長さの薄板（斜線の部分）
３  この部分にも薄板をはさむ。
４  この部分は出し入れをするため薄板を挟まない。
５  溝になるように薄板はフレームの材木より４ｍｍ程度控える。
６  下辺の材木は少し厚くしてもよい。（立てる場合、安定する。）
【手続補正書】
【提出日】平成17年11月15日(2005.11.15)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】  木製フレームの製作
【考案が解決しようとする課題】
【０００２】  木材の持ち味を生かし、金具を使わなくても出し入れが簡単なフレーム
【課題を解決するための手段】
【０００３】  木材のパーツをうまく組み合わせて接着することで  課題を達成することができた。
【考案を実施するための最良の形態】
【０００４】  四角いフレームなので、片面につき４本の材木を使い、もう一方の面にも同様に４本の材木を使う。両面の材木の間に薄い材木を挟み接着することで間に硬質プラスチックケースなどを入れることができるようにする。
【考案の効果】
【０００５】  従来のフレームのように、後ろに板をあてたり金具でとめたりする必要がない。掛けて使う場合にも金具を使う必要がない。また、両面を使うことができる。
【図面の簡単な説明】
【図１】材木の組み合わせ方である。
【図２】木製フレームの完成品を上から見たところである。
【図３】木製フレームの完成品を横から見たところである。
【符号の説明】
１  フレームを形作る、片面で４本、両面あわすと８本の材木である。
（厚さは、１０ｍｍ程度より好みの厚さにすることができる。）
２  厚さ３ｍｍ程度の薄板である。（出し入れの一辺は不要なので３本必要となる。）
３  溝になるように薄板はフレームの材木より４ｍｍ程度控える。
４  下辺の材木は、立てて使用する場合に安定するので少し厚くしてもよい。
（４番は、横長に使う場合の下辺である。）
５  下辺の材木は、立てて使用する場合に安定するので少し厚くしてもよい。
（５番は、縦長に使う場合の下辺である。）